(57)【特許請求の範囲】
【請求項１】
建築物の開口部に設置してある枠体の壁面より突出した木端部を枠体被覆部材で覆ってなる枠構造物であって、
前記枠体被覆部材は、
前記木端部の前面を覆う樹脂製の前面被覆部と、
前記前面被覆部の左右両端部から略直角に後方に向けて設けられ、前記木端部の左側面と右側面を覆う一対の樹脂製の脚部を備えてなり、
前記一対の脚部のうち、前記開口部側の脚部の後方端面の位置は、左右方向において前記壁面の位置を後方側に越えない位置にあり、
断面略コの字状で長尺状に延びるものであることを特徴とする枠構造物。
【請求項２】
建築物の開口部に設置してある枠体の壁面より突出した木端部を枠体被覆部材で覆ってなる枠構造物であって、
前記枠体被覆部材は、
前記木端部の前面を覆う樹脂製の前面被覆部と、
前記前面被覆部の左右両端部から略直角に後方に向けて設けられ、前記木端部の左側面と右側面を覆う一対の樹脂製の脚部を備えてなり、断面略コの字状で長尺状に延びるもので、前記一対の脚部のうち、前記開口部の開口側に配置される脚部の端部には、内方に折り返された返し部が設けられ、引き戸用の枠体の凹部に係止されるようにしたことを特徴とする枠構造物。
【請求項３】
前記前面被覆部と前記一対の脚部の両方または一方との間に、斜め後方に向けて設けられ、前記木端部の角部を覆う樹脂製の角被覆部を備えてなり、断面略コの字状で長尺状に延びることを特徴とする請求項１又は２に記載の枠構造物。
【請求項４】
前記枠体被覆部材の前記前面被覆部及び脚部のおもて面を化粧シートで被覆するとともに、その化粧シートを前記脚部の裏面まで巻き込んでなることを特徴とする請求項１乃至３のうちいずれか一つに記載の枠構造物。
【請求項５】
建築物の開口部に設置してある枠体の壁面より突出した木端部を枠体被覆部材で覆う枠体被覆施工方法であって、
前記枠体被覆部材は、
前記木端部の前面を覆う樹脂製の前面被覆部と、
前記前面被覆部の左右両端部から略直角に後方に向けて設けられ、前記木端部の左側面と右側面を覆う一対の樹脂製の脚部を備えてなり、断面略コの字状で長尺状に延びるものであり、
前記木端部の少なくとも一部を削り取って切削面を形成する切削工程と、
前記切削面の少なくとも一部と該切削面に貼付けする前記枠体被覆部材の少なくとも一部との両方または一方に接着層を形成する接着層形成工程と、
前記切削面に前記枠体被覆部材を貼付けする貼付工程と、を備え、
前記接着層形成工程において、前記枠体被覆部材の一対の脚部及び前記一対の脚部が覆う前記木端部の左側面と右側面には接着層を形成しないことを特徴とする枠体被覆施工方法。
【請求項６】
建築物の開口部に設置してある枠体の壁面より突出した木端部を覆うための枠体被覆部材であって、
前記木端部の前面を覆う樹脂製の前面被覆部と、
前記前面被覆部の左右両端部から略直角に後方に向けて設けられ、前記木端部の左側面と右側面を覆う一対の樹脂製の脚部を備えてなり、
前記一対の脚部のうち、前記開口部側の脚部の後方端面の位置は、左右方向において前記壁面の位置を後方側に越えない位置にあり、
断面略コの字状で長尺状に延びることを特徴とする枠体被覆部材。
【請求項７】
建築物の開口部に設置してある枠体の壁面より突出した木端部を覆うための枠体被覆部材であって、
前記木端部の前面を覆う樹脂製の前面被覆部と、
前記前面被覆部の左右両端部から略直角に後方に向けて設けられ、前記木端部の左側面と右側面を覆う一対の樹脂製の脚部を備えてなり、断面略コの字状で長尺状に延びるもので、前記一対の脚部のうち、前記開口部の開口側に配置される脚部の端部には引き戸用の枠体の凹部に係止されるように内方に折り返された返し部が設けられたことを特徴とする枠体被覆部材。
【請求項８】
前記前面被覆部と前記一対の脚部の両方または一方との間に、斜め後方に向けて設けられ、前記木端部の角部を覆う樹脂製の角被覆部を備えてなり、断面略コの字状で長尺状に延びることを特徴とする請求項６又は７に記載の枠体被覆部材。
【請求項９】
前記枠体被覆部材の前記前面被覆部及び脚部を含むおもて面を化粧シートで被覆するとともに、その化粧シートを前記脚部の裏面まで巻き込んでなることを特徴とする請求項６乃至８のうちいずれか一つに記載の枠体被覆部材。
【請求項１０】
前記枠体被覆部材の前記前面被覆部の裏面に、前記木端部に貼付けするための接着層を設けたことを特徴とする請求項６乃至９のうちいずれか一つに記載の枠体被覆部材。
【発明の詳細な説明】
【技術分野】
【０００１】
本発明は、枠構造物、枠体被覆部材及び枠体被覆施工方法に関する。より詳細には、建築物の開口部に設置してある既存の枠体の壁面より突出した木端部を枠体被覆部材で覆った枠構造物、および木端部を枠体被覆部材で覆う枠体被覆施工方法、並びに枠構造物を覆う枠体被覆部材に関するものである。
【背景技術】
【０００２】
住宅等には引戸枠体、開き戸枠体、折戸枠体、開口枠体等のあらゆる枠体が使用されている。最近の枠体には、安価で形状加工が容易なＭＤＦ等の木質基材に形状加工を施した後、その周囲に木目等を印刷した樹脂シートや紙シート等のシート材を貼付けたものがある。
このようなシート材を貼付けた枠体は、その表面に化粧シートが切れ目無く貼着されているのでシートの切れ目が表面に露出するということがない。従って、美観に優れるのみでなく引っ掛かり部分が無いので、傷や剥がれ等の損傷部が発生し難い。その上、近年の印刷技術の向上もあって、外観上、本物の木材と殆ど見分けがつかない。
【０００３】
こうした枠体の一例である開き戸枠４０は、図９に示すように、左右の縦枠４０ａと、左右の縦枠４０ａを上部で連結する横枠４０ｂから構成され、ドア４が上下二つの蝶番Ｈを介して左側の縦枠４０ａに開閉自在に取り付けられる。この枠体４０は、壁２に設けられた開口部に嵌め込まれ、縦枠４０ａの下部には、壁２の下部に設けられた幅木３の端部が当接している。このとき、縦枠４０ａは幅木３の前面よりもさらに前方に突出している。
【０００４】
このような枠体４０の基材は、例えば、パーティクルボードなどで構成され、その材質からパーティクルボードには空隙部（凹み）が多数存在している。
こうした空隙部を覆い隠すとともに基材を保護するために、装飾シートを貼付けた木質基板にＶ溝加工を施し、基材の表面に貼付けた枠構造物が知られている（例えば、特許文献１参照。）。
また、硬質層を有する中質繊維板を基材とし、合成樹脂などの装飾シートを表面に貼着した枠構造物も知られている。（例えば、特許文献２参照。）。
【先行技術文献】
【特許文献】
【０００５】
【特許文献１】実開昭５９−１９２５８９号公報
【特許文献２】特開平７−２９３１１４号公報
【発明の概要】
【発明が解決しようとする課題】
【０００６】
しかしながら、特許文献１に記載の枠体は、装飾シートと基材との間にＶカットなどを施した材料を挟んでいるため、例えば、基材に直接、装飾シートを貼るのに比べて、コストもかかり、現場での作業性も悪い。また、引用文献１に記載の枠体は、建物を建築する際に使用するものであり、枠体を補修する手段については何ら開示していない。
【０００７】
また、特許文献２に記載の枠体は、表面の装飾シートの下に硬質層を設けることで、強度を高めているが、中質繊維板等の木質材料は表裏面には硬質層が形成されるものの、その側面には硬質層が形成されない為、枠体の木端面については強度を高めることができない。また、枠体自体に加工を行うため、現場では作業できない。さらに、建物を建築する際の部材であり、枠体を補修する手段については何ら開示していない。
【０００８】
なお、建物の開口部は人や物の出入りがあるので、人や物がこの開口部を形成する枠体に接触して枠体に汚れが付着したり、その接触によって枠体を傷つけたり破損させたりすることも多い。
特に古い建物（住宅）の枠体には、通常、壁よりも多くの損傷が見られる。従来の枠体には傷等に耐えることのできる材料が用いられているものの、長年の使用によって必然的に多くの傷が付いている。特に、枠体の壁面より突出している部分である木端部には、人や荷物あるいは掃除機等が衝突し易く、また車椅子を使用している場合は、その金属部分が衝突して大きな傷が付き易い。
【０００９】
枠体の、人や物の進行方向に正対する部分となる枠体の側面（木端部の前面）は、強い衝突力が作用し易いため凹み傷が形成され易く、進行方向に沿う部分となる枠体の前面には微細な擦り傷や汚れが発生し易い。また、枠体の開口部側の角部には凹み傷や欠けが発生し易く、廊下など非居室側に突出する木端部においては、開口部側の角部のみならず壁面側の角部にもへこみ傷や欠けが発生し易い。
枠体が、例えばＭＤＦ製である場合、その枠体の前面には圧縮された強固な層が存在するので、枠体の前面は強度、仕上り程度および安定性の点などで優れるものの、その側面（木端）には圧縮されていない基材が露出するので強度は弱い。従って、強い力が作用しやすい枠材木端部の前面が枠材の側面より弱く凹みやすい構成となっており、大きく凹むと装飾シートが破れて木目のない木質基材が露出するといった問題があった。しかし、枠体の交換は周囲の壁紙や幅木、床材にまで影響を及ぼし、それら全てを併せて交換する必要が生じることもある為、引戸やドアのように容易に交換できるものではなかった。
【００１０】
そこで、破損した枠体は交換するのではなく補修で対処することが行われてきた。従来は、通常、破損部分をパテ等で埋めて表面に着色を行って目立たなくしていた。また、部分塗装を行い、あるいは破損した装飾シートと同じ柄の装飾シートをナイフ等で切断し、そのシート片を既存の装飾シートの柄などに合わせて貼付けていた。
【００１１】
しかし、こうしたパテ埋めや部分塗装あるいはシート片の貼付けといった従来の方法では、満足できる補修が困難であり、その施工にも技術が要求される。また、補修に際して使用されるパテや塗料の硬化および乾燥にも多くの時間が必要であり、シンナー等の有害物質の放散も問題となる。さらに、補修完了後においては、補修前よりも耐久性や美観が劣る場合が多い。またさらに、居住しながらのリフォームは、速やかな施工や悪臭発生の防止が求められるが、いずれも達成するのが困難である。
【００１２】
そこで、本発明の目的とするところは、廉価であり、現場での作業性及び美観性に優れる枠構造物、枠体被覆部材及び枠体被覆施工方法を提供することにある。
【課題を解決するための手段】
【００１３】
上記の目的を達成するために、本発明の請求項１に記載の枠構造物（１）は、建築物の開口部に設置してある枠体（１０）の壁面（２）より突出した木端部（１１）を枠体被覆部材（２０）で覆ってなるものであって、
前記枠体被覆部材（２０）は、前記木端部（１１）の前面（１２）を覆う樹脂製の前面被覆部（２１）と、前記前面被覆部（２１）の左右両端部から略直角に後方に向けて設けられ、前記木端部（１１）の左側面（１３）と右側面（１４）を覆う一対の樹脂製の脚部（２２）を備えてなり、前記一対の脚部（２２）のうち、前記開口部側の脚部の後方端面の位置は、左右方向において前記壁面（２）の位置を後方側に越えない位置にあり、断面略コの字状で長尺状に延びるものであることを特徴とする。
【００１４】
また、請求項２に記載の枠構造物（１）は、建築物の開口部に設置してある枠体（１０）の壁面（２）より突出した木端部（１１）を枠体被覆部材（２０）で覆ってなるものであって、前記枠体被覆部材（２０）は、前記木端部（１１）の前面（１２）を覆う樹脂製の前面被覆部（２１）と、前記前面被覆部（２１）の左右両端部から略直角に後方に向けて設けられ、前記木端部（１１）の左側面（１３）と右側面（１４）を覆う一対の樹脂製の脚部（２２）を備えてなり、断面略コの字状で長尺状に延びるもので、前記一対の脚部（２２）のうち、前記開口部の開口側に配置される脚部の端部には、内方に折り返された返し部（２２ａ）が設けられ、引き戸用の枠体の凹部（１１ａ）に係止されるようにしたことを特徴とする。
【００１５】
また、請求項３に記載の枠構造物（１）は、前記前面被覆部（２１）と前記一対の脚部（２２）の両方または一方との間に、斜め後方に向けて設けられ、前記木端部（１１）の角部を覆う樹脂製の角被覆部（２３）を備えてなり、断面略コの字状で長尺状に延びることを特徴とする。
【００１６】
また、請求項４に記載の枠構造物（１）は、前記枠体被覆部材（２０）の前記前面被覆部（２１）及び脚部（２２）のおもて面を化粧シート（３０）で被覆するとともに、その化粧シート（３０）を前記脚部（２２）の裏面まで巻き込んでなることを特徴とする。
【００１７】
請求項５に記載の枠体被覆施工方法は、建築物の開口部に設置してある枠体（１０）の壁面（２）より突出した木端部（１１）を枠体被覆部材（２０）で覆う方法であって
前記枠体被覆部材（２０）は、前記木端部（１１）の前面（１２）を覆う樹脂製の前面被覆部（２１）と、前記前面被覆部（２１）の左右両端部から略直角に後方に向けて設けられ、前記木端部（１１）の左側面（１３）と右側面（１４）を覆う一対の樹脂製の脚部（２２）を備えてなり、断面略コの字状で長尺状に延びるものであり、
前記木端部（１１）の少なくとも一部を削り取って切削面（１１ｂ）を形成する切削工程（Ｐ１）と、前記切削面（１１ｂ）の少なくとも一部と当該切削面（１１ｂ）に貼付けする前記枠体被覆部材（２０）の少なくとも一部との両方または一方に接着層（２５）を形成する接着層形成工程（Ｐ２）と、前記切削面（１１ｂ）に前記枠体被覆部材（２０）を貼付けする貼付工程（Ｐ３）と、を備え、
前記接着層形成工程において、前記枠体被覆部材の一対の脚部及び前記一対の脚部が覆う前記木端部の左側面と右側面には接着層を形成しないことを特徴とする。
【００１９】
請求項６に記載の枠体被覆部材（２０）は、建築物の開口部に設置してある枠体（１０）の壁面（２）より突出した木端部（１１）を覆うための枠体被覆部材（２０）であって、  前記木端部（１１）の前面（１２）を覆う樹脂製の前面被覆部（２１）と、前記前面被覆部（２１）の左右両端部から略直角に後方に向けて設けられ、前記木端部（１１）の左側面（１３）と右側面（１４）を覆う一対の樹脂製の脚部（２２）を備えてなり、前記一対の脚部（２２）のうち、前記開口部側の脚部の後方端面の位置は、左右方向において前記壁面（２）の位置を後方側に越えない位置にあり、断面略コの字状で長尺状に延びることを特徴とする。
【００２０】
請求項７に記載の枠体被覆部材（２０）は、建築物の開口部に設置してある枠体（１０）の壁面（２）より突出した木端部（１１）を覆うための枠体被覆部材（２０）であって、
前記木端部（１１）の前面（１２）を覆う樹脂製の前面被覆部（２１）と、前記前面被覆部（２１）の左右両端部から略直角に後方に向けて設けられ、前記木端部（１１）の左側面（１３）と右側面（１４）を覆う一対の樹脂製の脚部（２２）を備えてなり、断面略コの字状で長尺状に延びるもので、前記一対の脚部（２２）のうち、前記開口部の開口側に配置される脚部の端部には引き戸用の枠体の凹部（１１ａ）に係止されるように内方に折り返された返し部（２２ａ）が設けられたことを特徴とする。
【００２１】
また、請求項８に記載の枠体被覆部材（２０）は、前記前面被覆部（２１）と前記一対の脚部（２２）の両方または一方との間に、斜め後方に向けて設けられ、前記木端部（１１）の角部を覆う樹脂製の角被覆部（２３）を備えてなり、断面略コの字状で長尺状に延びることを特徴とする。
【００２２】
また、請求項９に記載の枠体被覆部材（２０）は、前記前面被覆部（２１）及び脚部（２２）を含むおもて面を化粧シート（３０）で被覆するとともに、その化粧シート（３０）を前記脚部（２２）の裏面まで巻き込んでなることを特徴とする。
【００２３】
また、請求項１０に記載の枠体被覆部材（２０）は、前記前面被覆部（２１）の裏面に、前記木端部（１１）に貼付けするための接着層（２５）を設けたことを特徴とする。
【００２４】
なお、カッコ内の記号は、図面および後述する発明の実施の形態に記載された対応要素または対応事項を示す。
【発明の効果】
【００２５】
本発明の枠構造物によれば、建築物の開口部に設置してある枠体の壁面より突出した木端部を枠体被覆部材で覆ってなるものにおいて、枠体被覆部材を、木端部の前面を覆う樹脂製の前面被覆部と、木端部の左側面と右側面を覆う一対の樹脂製の脚部とで構成し、断面略コの字状で長尺状に延びるものとしたので、構造が極めて簡易でかつ廉価なもので枠体を覆うことができる。また、既存の枠構造物を現場で容易にリフォームすることもできる。
【００２６】
すなわち、枠体被覆部材で傷んでいる既存の枠体の木端部を覆うことによって、枠体を廉価かつ容易にリフォームすることができる。また、この枠体被覆部材の前面被覆部と脚部は共に樹脂製であるため、通常、既存の枠体よりも傷が付き難い。従って、木端部を覆うことによって耐久性と外観性に優れる枠体にすることができる。
【００２７】
さらに、この枠体被覆部材は一対の脚部を備えるので、それら脚部が枠体の木端部を覆う際のガイドの役目を果たし、現場での作業をより容易なものとすることができる。
【００２８】
また、本発明によれば、前面被覆部と一対の脚部の両方または一方との間に、斜め後方に向けて設けられ、木端部の角部を覆う樹脂製の角被覆部を設けているので、枠体の傷の付き易い角部分をなくす、あるいは減らすことができる。これにより、外力によって傷つき難くして、取り付けた枠体被覆部材の寿命を延ばすことができる。
【００２９】
また、本発明によれば、一対の脚部の両方または一方の端部に、内方に折り返された返し部を設け、木端部に形成された凹部に係止するように構成したので、取付け後における枠体被覆部材の抜け出しあるいは離脱を効果的に防止することができる。
【００３０】
また、本発明によれば、枠体被覆部材の前面被覆部及び脚部のおもて面を化粧シートで被覆したので、外観性を高めることができる。また、その化粧シートを脚部の裏面まで巻き込んだので、枠体被覆部材よりその化粧シートの抜けだしあるいは離脱を防止することができ、さらに化粧シートの肉厚により枠体の保持をより強く行い得る、あるいは、枠体に既存の装飾シートがある場合、装飾シートがその端から剥がれて行く事を防止することができる。
【００３１】
また、本発明の枠体被覆施工方法は、建築物の開口部に設置してある枠体の壁面より突出した木端部を枠体被覆部材で覆う方法であって、木端部の少なくとも一部を削り取って切削面を形成する切削工程と、切削面の少なくとも一部と該切削面に貼付けする枠体被覆部材の少なくとも一部との両方または一方に接着層を形成する接着層形成工程と、切削面に枠体被覆部材を貼付けする貼付工程とを備えるので、現場において、枠体の木端部を枠体被覆部材で廉価に、かつ容易に覆うことができる。なお、木端部の少なくとも一部を削り、あるいは、剥ぎ取って切削面を平滑に形成し、そこに接着層を設けるので、枠体被覆部材を木端部に確実に取り付けることができる。
【００３２】
また、本発明の枠体被覆施工方法は、枠体被覆部材を前面被覆部と一対の脚部で構成し、接着層形成工程において、枠体被覆部材の一対の脚部及び一対の脚部が覆う木端部の左側面と右側面には接着層を形成しないようにしたので、木端部の少なくとも一部を削り取って形成した切削面において、枠体被覆部材との接着を集中して行うことができる。
【００３３】
また、本発明の枠体被覆部材は、建築物の開口部に設置してある枠体の壁面より突出した木端部を覆うための部材であって、木端部の前面を覆う樹脂製の前面被覆部と、木端部の左側面と右側面を覆う一対の樹脂製の脚部を備え、断面略コの字状で長尺状に延びる構成であるため、枠体を廉価にかつ現場で容易に取り付けることができる。
【００３４】
すなわち、枠体被覆部材で傷んでいる既存の枠体の木端部を覆うことによって、当該枠体を廉価かつ容易にリフォームすることができる。また、この枠体被覆部材の前面被覆部と脚部は共に樹脂製であるため、通常、既存の枠体よりも傷が付き難い。従って、木端部を覆うことによって、耐久性と外観性に優れる枠体とすることができる。さらに、この枠体被覆部材は一対の脚部を備えるので、当該脚部が枠体の木端部を覆う際のガイドの役目を果たし、現場での作業をより容易なものとすることができる。
【００３５】
また、本発明の枠体被覆部材によれば、前面被覆部と一対の脚部の両方または一方との間に、斜め後方に向けて設けられ、木端部の角部を覆う樹脂製の角被覆部を備えたので、傷付き易い部分である枠体被覆部材の角部分が損傷するのを防止することができる。
【００３６】
また、本発明の枠体被覆部材によれば、一対の脚部の両方または一方の端部に、内方に折り返された返し部を設けたので、引き戸用の枠体で防寒じゃくりが木端部分に近い場合など、枠体の凹部に対応した折り返し部が、脚部の長さが取れない場合には代わりに、あるいは、折り返し部の引っ掛かりを利用できる場合、より確実に枠体に取り付けられ、取付け後における枠体被覆部材の抜け出しあるいは離脱も効果的に防止することができると共に、開口部を通過する際に枠体被覆部材の端部（脚部の先）にぶつかる機会を軽減できる。
【００３７】
また、本発明の枠体被覆部材によれば、枠体被覆部材の前面被覆部及び脚部を含むおもて面を化粧シートで被覆したので、外観性を高めることができる。また、化粧シートを前記脚部の裏面まで巻き込んだので、当該化粧シートが前面被覆部や脚部から離脱するのを防止することができ、さらに化粧シートの肉厚により枠体の保持をより強く行い得る、あるいは、枠体に既存の装飾シートがある場合、装飾シートがその端から剥がれる事を防止する。
【００３８】
さらに、本発明の枠体被覆部材によれば、枠体被覆部材の前面被覆部の裏面に、木端部に貼付けするための接着層を設けたので、当該枠体被覆部材を木端部に容易に貼付けることができる。
【図面の簡単な説明】
【００３９】
【図１】本発明の実施形態に係る枠構造物および枠体被覆部材の斜視図である。
【図２】本発明の実施形態に係る枠体被覆部材の一部斜視図である。
【図３】本発明の実施形態に係る枠構造物および枠体被覆部材を示すもので、図１のＡ−Ａ線拡大断面図である。
【図４】本発明の実施形態に係る枠構造物および枠体被覆部材を示すもので、図１のＢ−Ｂ線拡大断面図である。
【図５】本発明の実施形態に係る別の枠構造物および枠体被覆部材を示す断面図である。
【図６】本発明の実施形態に係る枠体被覆施工方法を示す工程図である。
【図７】本発明の実施形態に係る枠体被覆施工方法を示す断面図である。
【図８】本発明の実施形態に係る枠体被覆部材の角被覆部と枠体面取りの関係を示す断面図である。
【図９】従来例に係る枠構造物および枠体被覆部材の斜視図である。
【発明を実施するための形態】
【００４０】
図１乃至図４を参照して、本発明の実施形態に係る枠構造物１および枠体被覆部材２０について説明する。図１は、枠体被覆部材２０を備える枠構造物１を正面からみた斜視図であり、図２は、枠体被覆部材２０の部分斜視図、そして図３は、図１のＡ−Ａ線拡大断面図（縦枠１０ａの横断面図）である。
【００４１】
本実施形態に係る枠構造物１は、枠体１０（縦枠１０ａ）の木端部１１を枠体被覆部材２０で覆ってなるものである。枠体１０は、既存の建築物の開口部に設置してある木製であり、縦方向に延在する左右一対の縦枠１０ａと、それら一対の縦枠１０ａの上端部間に横方向に延在して連結する横枠１０ｂとで構成される。また、枠体１０の木端部１１は、縦枠１０ａと横枠１０ｂの双方において、壁面２より前方に突出している。
【００４２】
枠体被覆部材２０は、枠体１０の一対の縦枠１０ａと横枠１０ｂのそれぞれを覆うものであり、樹脂製の前面被覆部２１と一対の樹脂製の脚部２２を備える。前面被覆部２１は、木端部１１の前面１２を覆う部材である。一対の脚部２２は、前面被覆部２１の左右両端部のそれぞれからほぼ直角に後方に向けて設けられ、木端部１１の左側面１３と右側面１４を覆う部材である。この枠体被覆部材２０は、断面がほぼコの字状であり、長尺状に、縦枠１０ａを覆うものは上下方向に、横枠１０ｂを覆うものは横方向に延びている。
【００４３】
また、本実施形態では、枠体１０の木端部１１に面取り部１５を形成し、枠体被覆部材２０にそれに対応する角被覆部２３を設けている。なお、枠体１０には樹脂製の装飾シート１６が被覆されている。角被覆部２３は樹脂製で、前面被覆部２１と一対の脚部２２との間に斜め後方に向けて一体的に設けられ、木端部１１の面取り部１５を覆っている。面取り部１５および角被覆部２３は、図３（Ａ）に示すように、それぞれ二つ形成することもできるし、図３（Ｂ）、（Ｃ）に示すように、一つとすることもできる。また、枠体被覆部材２０の一対の脚部２２は、その一方を他方よりも短くすることができるし（図３（Ａ）、（Ｂ））、また等しくすることもできる（図３（Ｃ））。一方を短くするのは幅木３との干渉を避けるためである。
【００４４】
すなわち、枠体被覆部材２０の脚部２２の内、幅木３が存在する側に位置する脚部２２は、幅木３との干渉を避けるために、当該幅木３の肉厚と散りを考慮してその長さを設定する。通常、幅木の厚みは７ｍｍ程度で散りは１０ｍｍ程度であるため、当該脚部２２の長さは３ｍｍ程度とするのが好ましい。なお、脚部２２の先端部は円弧状に形成している。円弧状の先端部付近に外力が加わると、その形状から力は内側（枠体側）に分力が生じ、枠体被覆部材２０を枠体１０から剥がす方向の分力は小さくなると共に、内側の分力により枠体１０に押さえつけられることでより剥がれにくくなり、めくれにくくなる。
【００４５】
なお、枠体被覆部材２０の角被覆部２３は、おもて面側およびその裏面側をそれぞれ木端部１１の面取り部１５よりも大きく（長く）設定することもできるし、また、小さく（短く）設定することもできる。又、角被覆部２３と面取り部１５との間に隙間を形成することもできる。
【００４６】
より好ましくは、図８（Ａ）に示すように、枠体被覆部材２０の角被覆部２３の裏面側の幅Ｓを木端部１１の面取り部１５ｃの幅Ｌよりも小さく（短く）設定する（Ｓ<Ｌ）ことで、枠体被覆部材２０の前面被覆部２１が、木端部１１の前面１２に密接するように設計し、代わりに、角被覆部２３は木端部１１の面取り部１５と接するか離れている様にする。これにより、着実に被覆部材２０の前面被覆部２１と木端部１１とが確実に接着される設計となる。なお、この設計の際に、両面テープなどの厚みを考慮することは言うまでもない。
よって、これとは逆に、図８（Ｂ）に示すように、枠体被覆部材２０の角被覆部２３の裏面側の幅Ｓを木端部１１の面取り部１５ｃの幅Ｌよりも大きく（長く）設定する（Ｓ>Ｌ）したものは、枠体被覆部材２０の前面被覆部２１が、木端部１１の前面１２から離れるため適用することはできない。
【００４７】
また、枠体被覆部材２０の角被覆部２３は、枠体１０の木端部１１に面取り部１５が形成されていない場合、あるいはその面取り部１５が小さい場合でも、使用することができる。
【００４８】
また、本実施形態に係る枠体被覆部材２０は、上述した基本構成に加えて、そのおもて面が化粧シート３０で被覆されている。すなわち、枠体被覆部材２０を押出成型に適したＡＢＳ樹脂で形成し、そのおもて面を、ＰＥ（ポリエチレン）、ＰＳ（ポリスチレン）、ＰＰ（ポリプロピレン）などで形成した化粧シート３０で被覆している。この化粧シート３０は、枠体被覆部材２０と共に押出し成形することも可能であり、化粧シート３０に代えて塗装層を設けることも可能である。なお、この化粧シート３０は、枠体被覆部材２０の両端部の内側に巻き込んで巻込み部３０ａとし、木端部１１の側面１３，１４と脚部２２の内面とで挟持することが、抜け出しを防止するために好ましい。
【００４９】
化粧シート３０を設けることで、枠体被覆部材２０のおもて面に意匠性を与えることができ、また、枠体１０の装飾シート１６と同じ色や模様あるいは柄などのものを使用することで統一感のとれた外観を与えることができる。なお、異なる模様等の化粧シート３０を使用することもできる。
【００５０】
さらに、この枠体被覆部材２０の裏面には、両面接着テープなどによる接着層２５を設けることができる。これにより、枠体１０の木端部１１に容易に貼付けすることができる。両面接着テープには、アクリル系や不織布ベースのものを使用することができる。
【００５１】
また、枠体１０を装飾シート１６で被覆しているが、図３（Ｂ）に示すように、木端部１１の前面１２には装飾シート１６を設けず、あるいは除去し、その部分に接着層２５を設けることもできる。また、図３（Ｃ）に示すように、装飾シート１６を、木端部１１の前面１２の中央部分のみには設けず、あるいは除去し、その部分に接着層（例えば両面接着テープ）２５を設け、その接着層２５の両端部を装飾シート１６と重ね合わせることもできる。
【００５２】
次に、図４に、本発明の他の実施形態に係る枠構造物１及び枠体被覆部材２０を示す。
図４は、図１のＢ−Ｂ線断面図（横枠１０ｂの断面図）である。これらの枠構造物１及び枠体被覆部材２０は、枠体１０の木端部１１に二つの面取り部１５を形成し、枠体被覆部材２０にそれに対応して二つの角被覆部２３を形成したものである。
【００５３】
枠体被覆部材２０のおもて面には化粧シート３０を設け、その両端部に巻込み部３０ａを形成している。また、木端部１１と枠体被覆部材２０との間に接着層２５を設けている。この接着層２５は、木端部１１の前面１２と枠体被覆部材２０のそれに対向する面の間のみに設けることができるし（図４（Ａ）、（Ｃ））、また、木端部１１の前面１２及び面取り部１５と枠体被覆部材２０のそれらに対向する面の間に設けることもできる（図４（Ｂ）、（Ｄ））。こうした構成の違いは、接着層２５の接着強度や衝撃吸収性や、枠体１０及び枠体被覆部材２０の形成材料の特性に応じて設定する。
【００５４】
枠体１０の木端部１１にはその全面に装飾シート１６を被覆することができるし（図４（Ａ））、（Ｂ））、また、木端部１１の前面１２と面取り部１５には装飾シート１６を被覆しない構成とすることもできる（図４（Ｃ）、（Ｄ））。また、木端部１１の前面１２の中央部分を除く部分と面取り部１５に接着層２５である両面接着テープを設け、当該中央部分に、これも接着層２５となる接着剤を塗布することもできる（図４（Ｅ））。これにより、当初の貼付強度を両面接着テープで担保し、時間経過後の貼付強度を接着剤で担保することができる。
【００５５】
次に、図５に、本発明の他の実施形態に係る枠構造物１と枠体被覆部材２０を示す。これは、枠体１０に凹部１１ａを形成し、枠体被覆部材２０にその凹部１１ａに係合する返し部２２ａを設けたものである。凹部１１ａは、例えば、引き戸用の枠体１０のように引き戸４が当たる部分として凹ませた部分に形成することができる。
【００５６】
また、返し部２２ａをこの凹部１１ａに係合させることにより、枠体被覆部材２０の木端部１１に対する保持力（特に、接着層２５によって固着する前の仮止めにおける保持力）を高めることができる。また、脚部２２の先端部分（返し部２２ａ）が凹部１１ａに入り込むので、人あるいは物が脚部２２の先端部分にぶつかるのを防止でき、従って、枠体被覆部材２０の損傷を防ぐことができる。
【００５７】
また、この実施形態では、枠体木端部１１の角部分に面取り部１５を形成していないが、枠体被覆部材２０にはその角部分を被覆する角被覆部２３を設けている。
【００５８】
上記実施形態に係る枠構造物１及び枠体被覆部材２０は、次のように施工することができる。すなわち、この施工方法は、図６及び図７に示すように、建築物の開口部に設置してある枠体１０（上記実施形態では開き戸枠）の壁面２より突出した部分である木端部１１を、枠体被覆部材２０で覆う枠構造物１を提供するものであり、切削工程Ｐ１と、接着層形成工程Ｐ２と、貼付工程Ｐ３を備える。
【００５９】
切削工程Ｐ１では、図７（Ａ）に示すように、既存の枠体１０の木端部１１の少なくとも一部を切削して切削面１１ｂを形成する。すなわち、木端部１１の前面１２と二つの側面１３，１４の、全体あるいはその一部（例えば前面１２のみ）を切削して切削面１１ｂを形成する。本実施形態では、木端部１１の前面１２と面取り部１５を切削面１１ｂとしている。
【００６０】
次に、接着層形成工程Ｐ２では、図７（Ｂ）に示すように、切削面１１ｂと当該切削面１１ｂに貼付けする枠体被覆部材２０の両方または一方に接着層２５を形成する。接着層２５は特に限定されるものではなく、例えば、両面接着テープや接着剤を使用することができる。なお、本実施形態では木端部の切削面１１ｂ（前面１２）のみに接着層２５を設けているが、枠体被覆部材２０の裏面のみ、あるいは両者に設けることもできる。また、接着層２５の形成は、切削面１１ｂの全面に限らず少なくとも一部でもよいし、切削面１１ｂに貼付けする枠体被覆部材２０についても全面に限らず少なくとも一部であってもよい。
【００６１】
そして、貼付工程Ｐ３では、図７（Ｃ）に示すように、切削面１１ｂに枠体被覆部材２０を、接着層２５を介して貼付けする。この貼付作業は、枠体被覆部材２０を切削面１１ｂに手で押し付けて行うことができる。
【００６２】
なお、この施工方法には、図３（Ｃ）に示すように、押さえ（剥がれ抑え）工程Ｐ４を加えることができる。この押さえ（剥がれ抑え）工程Ｐ４は、必要に応じて、接着層形成工程Ｐ２と同時に行われるものであり、枠体１０の木端部１１に貼付けされている既存の装飾シート１６の一部を剥がし、その装飾シート１６の残部の端を両面接着テープなどの留め部材Ｆで押さえるものである。
【００６３】
以下、施工方法を詳しく述べる。
（１）切削工程
既存の枠体１０（例えば開き戸枠）は、長年の使用によって汚れ、傷、へこみなどが発生しているため、まず表面を削ることで接着性を高める。この切削工程Ｐ１での作業は、たとえば鉋やサンダーなどで木端部１１の表面を削って平坦面を形成する。
なお、枠体１０に装飾シート１６が被覆されている場合は、カッターナイフでその装飾シート１６に切り込みを縦方向（長手方向）に２か所入れ、その間部分の装飾シート１６を剥ぎ取ることができる。さらに、木端部１１の表面を削った後に、残った装飾シート１６の一部をカッターナイフで剥ぎ取ることも出来る。なお、枠体１０の表面状態が良好な場合はそのまま、あるいは、油分などを除去する工程を切削工程Ｐ１に代えることが可能である。
【００６４】
（２）接着層形成工程
接着層２５（ここでは両面接着テープ）を枠体１０の木端部１１（あるいは枠体被覆部材２０）に貼付けた後、圧力を加えて馴染ませる。
【００６５】
（３）貼付工程
両面接着テープの剥離紙を取り除き、枠体被覆部材２０を木端部１１に押し当てる。この際、枠体被覆部材２０の脚部２２によって、切削工程Ｐ１で発生した枠体１０の装飾シート１６の端部を押さえ込むことにより、装飾シート１６の剥離を防止することができる。従って、枠体被覆部材２０は、木端部１１の切削範囲を考慮して、必要な長さの脚部２２を持つものを選択する必要がある。
【００６６】
（４）押さえ（剥がれ抑え）工程
既存の装飾シート１６の一部を剥がした後、残部の端を両面接着テープなどで押さえる。これによって、装飾シート１６の剥がれを防止する。なお、この押さえ（剥がれ抑え）工程Ｐ４は、接着層形成工程Ｐ２と共に行うことも可能である。
【００６７】
なお、上記実施形態では、枠体１０に両面接着テープを貼付けた後、その枠体１０に、枠体被覆部材２０を貼付けるようにしたが、枠体被覆部材２０に両面接着テープを貼付けた後、それを枠体１０に押し当てて貼付けることもできる。
【００６８】
後者を実施するために、枠体被覆部材２０にあらかじめ両面接着テープを貼付けた一体物を製品として提供することもできる。ここで、枠体被覆部材２０を枠体１０の長さに合わせてカットする必要がある場合には、枠体被覆部材２０にあらかじめ両面接着テープが貼付けてあると、両面接着テープの柔軟性と粘着性に起因してカットし難いという問題がある。しかし、施工する際に、枠体被覆部材２０にすでに適切な両面テープが貼付けしてあると、それに加えて余分な両面接着テープを準備する必要がないので便利である。
【００６９】
なお、枠体被覆部材２０に両面接着テープを貼付けする際、枠体被覆部材２０の裏面の全体に化粧シート３０を巻き込んで、その上に貼付けすることも考えられるが、より良い接着力を得るためには、化粧シート３０を枠体被覆部材２０の裏面全体に巻き込まず、枠体被覆部材２０を露出させ、両面接着テープを貼付けする方が好ましい。
【００７０】
また、枠体１０の装飾シート１６を除去しないで、枠体１０に枠体被覆部材２０を、両面接着テープを介して貼付けする場合、枠体被覆部材２０の裏面の全体又は一部に装飾シート１６を巻き込むことで、装飾シート１６と化粧シート３０に適した接着剤あるいは両面接着テープを選択することにより、より高い接着力を得ることができる。
【００７１】
なお、枠体被覆部材２０は押出し成形の他に型成形で形成することができ、その場合、裏面にスパイク形状の突起を設け、この突起で枠体１０に取り付けることができる。この場合、両面接着テープを使用しても良く、使用しないでも良い。また、型成形の場合は、蝶番Ｈやラッチなどとの干渉を避けるため切欠きを容易に設けることができる。さらに、枠体被覆部材２０の裏面に長手方向に目盛を設け、切断寸法の目安とすることもできる。同様の理由で、ガイド溝を設けることもできる。また、両面接着テープにも目盛りを設けることができる。
【００７２】
なお、上記実施形態では、枠体１０としてドア枠の場合を説明しているが、壁面２より突出した部分である引戸枠体、折戸枠体、窓枠体、あるいはその他の開口部を形成する突出部分を枠体１０として含み、それらの全てに枠体被覆部材２０を取り付けることができる。特に、枠体１０が床面まであって、人、車椅子、荷物などの出入りのある枠体１０については、傷つき易い環境にあるため、たとえば掃き出し窓の枠体１０を含めて、本発明の実施形態によるものが有効に働く機会が高い。
【００７３】
上記実施形態に係る枠構造物１および枠体被覆部材２０の作用効果は、次の通りである。  （１）枠体被覆部材２０を、木端部１１の前面１２を覆う樹脂製の前面被覆部２１と、前面被覆部２１の左右両端部から略直角に後方に向けて設けられ、木端部１１の二つの側面１３，１４を覆う一対の樹脂製の脚部２２とで構成し、断面略コの字状で長尺状に延びるものとしたので、現場において、既存の枠構造物を廉価に容易にリフォームすることができる。なお、枠体１０に対する枠体被覆部材２０の覆いは、特にリフォームするときなど枠体１０が既設の場合に特に有効であるが、これに限定されるものではなく新築時においても適用可能である。
【００７４】
（２）枠体被覆部材２０は一対の脚部２２を備えるので、それら脚部２２が枠体１０の木端部１１を覆う際のガイドの役目を果たし、現場での作業をより容易なものとすることができる。
【００７５】
（３）枠体被覆部材２０の前面被覆部２１と一対の脚部２２の両方または一方との間に、斜め後方に向けて、枠体１０の木端部１１に形成された面取り部１５を覆う樹脂製の角被覆部２３を設けることにより、枠体被覆部材２０の傷の付き易い角部分をなくす、あるいは減らすことができる。
すなわち、木端部１１の面取り部１５に沿った角被覆部２３を枠体被覆部材２０に形成するので外力によって損傷し難くなる。
【００７６】
（４）角被覆部２３の裏面側を、面取り部１５よりも小さく（短く）設定することにより、両面接着テープの肉厚によって両者間に必要以上に間隙が形成されるのを防止することができる。また、施工時に枠体１０の木端前面と面取り部１５を削る場合、それらか工面の切削度合の精度がある程度出ていなくても、角被覆部２３の裏面が小さく設定してあるので、枠体被覆部材前面の裏側と枠体木端部前面とが、着実に接着できる位置関係に置かれることとなる。
【００７７】
（５）枠体被覆部材２０の角被覆部２３と枠体木端部１１の面取り部１５との間に隙間を形成することにより、外力が枠体１０に作用し難く、又その反力が枠体被覆部材２０に作用し難くすることができ、従って損傷を抑制することができる。
【００７８】
（６）面取り部１５が形成されていない木端部１１、あるいはその面取り部１５が小さい木端部１１に、角被覆部２３を備えた枠体被覆部材２０を使用することにより、木端部１１に面取り部１５を形成する工程を省くことができる。これにより、より廉価に、またゴミを排出することなく所望の施工を行うことができる。
【００７９】
（７）一対の脚部２２の両方または一方の端部に、内方に折り返された返し部２２ａを設け、木端部１１に形成された凹部１１ａに係止するように構成することにより、取付け後における枠体被覆部材２０の抜け出しあるいは離脱を効果的に防止することができる。
【００８０】
（８）左右一対の脚部２２の長さを異なるものとすることにより、幅木３などとの干渉を避けることができる。これにより、現場での切欠き加工などが不要となり、施工がさらに容易となる。
【００８１】
（９）脚部２２に返し部２２ａを設けることにより、枠体被覆部材２０を枠体１０に取り付ける際に位置決めと仮止めを行うことができる。従って、枠体被覆部材２０の取付けがより簡単となり、また接着層２５が固着するまでの保持機能を発揮する。また、装飾シート１６の端を押さえ付ける構成とすることで、当該装飾シート１６の剥がれを抑止することができる。
【００８２】
（１０）脚部２２の先端部を円弧状とすることにより、外力によって当該脚部２２がめくれるのを防止することができると共に、枠体被覆部材２０が剥がれにくくなる。
【００８３】
（１１）枠体被覆部材２０の前面被覆部２１及び脚部２２のおもて面を化粧シート３０で被覆することにより、外観性を高めることができる。
【００８４】
（１２）その化粧シート３０を脚部２２の裏面まで巻き込むことにより、当該化粧シート３０の抜けだしあるいは離脱を防止することができる。
【００８５】
（１３）枠体被覆部材２０の前面被覆部２１の裏面に、枠体１０の木端部１１に貼付けするための接着層２５を設けることによって、当該枠体被覆部材２０を木端部１１に容易に貼付けることができる。
【００８６】
（１４）接着層２５を両面接着テープで形成することにより、枠体被覆部材２０を木端部１１にさらに容易に貼付けることができる。
【００８７】
（１５）枠体被覆部材２０の裏面に長手方向に目盛やガイド溝を設け、あるいは両面接着テープの剥離紙に目盛りを設けることにより、枠体被覆部材２０の切断寸法の目安とすることができる。これにより、施工がさらに容易となる。
【００８８】
また、上記実施形態に係る枠体被覆施工方法は、次の作用効果を発揮する。
（１）現場において、枠体１０の木端部１１を枠体被覆部材２０で廉価に、かつ容易に覆うことができる。
【００８９】
（２）木端部１１の少なくとも一部を削って切削面１１ｂを形成し、そこに接着層２５を設けるので、枠体被覆部材２０を木端部１１に確実に取り付けることができる。
【００９０】
（３）押さえ（剥がれ抑え）工程Ｐ４をさらに設けることによって、既存の装飾シート１６がその端から外れてしまうことを確実に防止することができる。
【符号の説明】
【００９１】
１    枠構造物
２    壁（壁面）
３    幅木
４    ドア
１０    枠体
１０ａ  縦枠
１０ｂ  横枠
１１    木端部
１１ａ  凹部
１１ｂ  切削面
１２    木端部の前面
１３    左側面
１４    右側面
１５    面取り部
１６    装飾シート
２０    枠体被覆部材
２１    前面被覆部
２２    脚部
２２ａ  返し部
２３    角被覆部
２５    接着層
３０    化粧シート
３０ａ  巻込み部
４０    枠体
４０ａ  縦枠
４０ｂ  横枠
４０ｄ  損傷部
Ｆ    留め部材
Ｈ    蝶番
Ｐ１  切削工程
Ｐ２  接着層形成工程
Ｐ３  貼付工程
Ｐ４  押さえ（剥がれ抑え）工程
【図１】
0006752037.tif 000002
【図２】
0006752037.tif 000003
【図３】
0006752037.tif 000004
【図４】
0006752037.tif 000005
【図５】
0006752037.tif 000006
【図６】
0006752037.tif 000007
【図７】
0006752037.tif 000008
【図８】
0006752037.tif 000009
【図９】
0006752037.tif 000010